(57)【特許請求の範囲】
【請求項１】
周囲の照度を測定検出する複数の周囲環境照度測定手段から複数の照度情報を受信し記憶する照度情報取得処理を行う手段と、
前記複数の照度情報から比較照度値を算出する比較照度値算出処理を行う手段と、
所定の基準データと前記比較照度値とを比較し複数の照明装置への点灯もしくは消灯の指示を判定する点消灯判定処理を行う手段と、
前記点消灯判定処理の判定に基づき前記複数の照明装置へ点灯もしくは消灯を指示する指示データを作成し送信する発光状態指示処理を行う手段と、を備え、
前記発光状態指示処理は、前記点消灯判定処理の結果が連続して２回以上同じ結果になった場合に行われるものであり、
前記照度情報取得処理、比較照度値算出処理、および、点消灯判定処理は一連の処理として所定時間間隔毎に行われるものであり、
算出された前記比較照度値と閾値との差が一定以上の場合、前記照度情報取得処理、比較照度値算出処理、および、点消灯判定処理を行う間隔を前記所定時間間隔より長い間隔とすることを特徴とする照明装置の管理制御装置。
【請求項２】
前記比較照度値算出処理とは、前記複数の照度情報のうち、最大値から降順に１以上の照度情報と最小値から昇順に１以上の照度情報を除き、残りの照度情報から前記比較照度値を算出する処理であることを特徴とする請求項１に記載の照明装置の管理制御装置。
【請求項３】
前記照度情報とは、前記照明装置において所定の閾値と比較して大きい又はそれ以上と判定された第２照度情報もしくは前記照明装置において所定の閾値と比較して小さい又はそれ以下と判定された第３照度情報の少なくとも一方であり、
前記比較照度値算出処理とは、前記第２照度情報又は前記第３照度情報の少なくとも一方をカウントして得られた個数を前記比較照度値とする処理であることを特徴とする請求項１又は２に記載の照明装置の管理制御装置。
【請求項４】
前記指示データに所定の時刻データを付加する手段を備え、
前記複数の照明装置それぞれが備える時刻カウント手段により、前記複数の照明装置の点灯もしくは消灯のタイミングが前記時刻データにより決せられることを特徴とする請求項１乃至３のいずれか１項に記載の照明装置の管理制御装置。
【請求項５】
前記周囲環境照度測定手段は、前記照明装置と一体に設けられたことを特徴とする請求項１乃至４のいずれか１項に記載の照明装置の管理制御装置。
【請求項６】
周囲の照度を測定検出する複数の周囲環境照度測定手段から複数の照度情報を受信し記憶する照度情報取得処理を行うステップと、
前記複数の照度情報から比較照度値を算出する比較照度値算出処理を行うステップと、
所定の基準データと前記比較照度値とを比較し複数の照明装置への点灯もしくは消灯の指示を判定する点消灯判定処理を行うステップと、
前記点消灯判定処理の判定に基づき前記複数の照明装置へ点灯もしくは消灯を指示する指示データを作成し送信する発光状態指示処理を行うステップと、を備え、
前記発光状態指示処理は、前記点消灯判定処理の結果が連続して２回以上同じ結果になった場合に行われるものであり、
前記照度情報取得処理、比較照度値算出処理、および、点消灯判定処理は一連の処理として所定時間間隔毎に行われるものであり、
算出された前記比較照度値と閾値との差が一定以上の場合、前記照度情報取得処理、比較照度値算出処理、および、点消灯判定処理を行う間隔を前記所定時間間隔より長い間隔とすることを特徴とする照明装置の管理制御方法。
【発明の詳細な説明】
【技術分野】
【０００１】
本発明は、主に生活道路や街路などに設置される街路灯、防犯灯および道路灯として用いられる照明装置を管理、制御するための装置および方法に関する。
【背景技術】
【０００２】
低消費電力の発光素子（ＬＥＤ）を光源にした照明装置は、一般家庭はもとより商業施設などでも多く設置され、屋外に設置する街路灯などの照明装置への採用も進んでいる。この照明装置は、本体の内部に発光素子を複数配列し、下方に向けて照明光を照射するようにしたものである。
【０００３】
また、このような照明装置においては、特に室内用の照明装置において、照度センサからの検出値を一つの判定の基準として利用して照明装置の電源の入切や調光といった管理制御を行う装置が提案されている。
【先行技術文献】
【特許文献】
【０００４】
【特許文献１】特開２０１３−２５８０７７号公報
【発明の概要】
【発明が解決しようとする課題】
【０００５】
しかしながら、街路灯等の制御のために室外において照度センサを適用しようとすると、屋内に比べて近隣の民家やビルなどから漏れ出た光や偶然の反射や、もしくは照度センサ付近の積雪や塵等の影響を受けやすく、正常な検出値を得られないため、結果として照明装置の制御が困難となる。
【０００６】
また、管理制御装置が複数台の照明装置を管理制御する場合において、特にその管理制御装置１台あたりが管理する照明装置の台数が多数になると、管理制御装置からの点灯もしくは消灯の指示に従い実際に各照明装置が点灯もしくは消灯するのにタイムラグが生じてしまうという不都合がある。これが、一定の地理的範囲に設置される多数の街路灯である場合には、一定範囲に存在する複数の街路灯がバラバラのタイミングで点灯（消灯）するということであり、景観上美しいものではない。
【課題を解決するための手段】
【０００７】
本発明に係る照明装置の管理制御装置、照明装置の管理制御方法は、以上の点に鑑みなされたものであり、以下の構成によることを特徴とする。
周囲の照度を測定検出する複数の周囲環境照度測定手段から複数の照度情報を受信し記憶する照度情報取得処理を行う手段と、前記複数の照度情報から比較照度値を算出する比較照度値算出処理を行う手段と、所定の基準データと前記比較照度値とを比較し複数の照明装置への点灯もしくは消灯の指示を判定する点消灯判定処理を行う手段と、前記点消灯判定処理の判定に基づき前記複数の照明装置へ点灯もしくは消灯を指示する指示データを作成し送信する発光状態指示処理を行う手段と、を備え、前記発光状態指示処理は、前記点消灯判定処理の結果が連続して２回以上同じ結果になった場合に行われるものであり、前記照度情報取得処理、比較照度値算出処理、および、点消灯判定処理は一連の処理として所定時間間隔毎に行われるものであり、算出された前記比較照度値と閾値との差が一定以上の場合、前記前記照度情報取得処理、比較照度値算出処理、および、点消灯判定処理を行う間隔を前記所定時間間隔より長い間隔とすることを特徴とする。
【０００８】
前記比較照度値算出処理とは、前記複数の照度情報のうち、最大値から降順に１以上の照度情報と最小値から昇順に１以上の照度情報を除き、残りの照度情報から前記比較照度値を算出する処理であることを特徴とする。
前記照度情報とは、前記照明装置において所定の閾値と比較して大きい又はそれ以上と判定された第２照度情報もしくは前記照明装置において所定の閾値と比較して小さい又はそれ以下と判定された第３照度情報の少なくとも一方であり、前記比較照度値算出処理とは、前記第２照度情報又は前記第３照度情報の少なくとも一方をカウントして得られた個数を前記比較照度値とする処理であることを特徴とする。
【０００９】
前記周囲環境照度測定手段は、前記照明装置と一体に設けられたことを特徴とする。
【００１０】
前記指示データに所定の時刻データを付加する手段を備え、前記複数の照明装置それぞれが備える時刻カウント手段により、前記複数の照明装置の点灯もしくは消灯のタイミングが前記時刻データにより決せられることを特徴とする。
【発明の効果】
【００１１】
本願に係る発明によれば、複数の周囲環境照度測定手段から取得した複数の照度情報から算出した値（比較照度値）を用いて照明装置を制御するので、屋外に設置する場合でも、屋内に比べて近隣の民家やビルなどから漏れ出た光や偶然の反射もしくは積雪や塵等によるノイズを受けた異常値の影響を受けにくくなるため、照明装置の点灯もしくは消灯を適切に制御できる。
【００１２】
本願に係る発明によれば、周囲環境照度測定手段を、照明装置と一体に設けるので、これらを別々に設置する場合と比べ、コストを削減できる。
【００１３】
本願に係る発明によれば、点灯（消灯）指示データに所定の時刻データを付加する手段を備え、前記複数の照明装置それぞれが備える時刻カウント手段により、複数の照明装置の点灯もしくは消灯のタイミングが時刻データにより決せられるので、多数の屋外照明装置であっても点灯（消灯）のタイムラグを抑えることができ、景観上もふさわしいものとすることができる。
【図面の簡単な説明】
【００１４】
【図１】本発明に利用可能な照明装置の平面図である。
【図２】本発明に利用可能な照明装置の側面図である。
【図３】本発明に利用可能な照明装置の背面図である。
【図４】本発明に利用可能な照明装置の底面図である。
【図５】本発明に利用可能な照明装置の断面図である。
【図６】本発明に利用可能な照明装置の内部構造を説明する底面図
【図７】本発明に利用可能な照明装置の分解斜視図である。
【図８】本発明に利用可能な照明装置の分解斜視図である。
【図９】本発明に利用可能な照明装置の電源部のブロック回路である。
【図１０】本発明に利用可能な照明装置の電源部の要部断面図である。
【図１１】本発明に利用可能な照明装置の電源部の説明図である。
【図１２】本発明に利用可能な照明装置の電源部の説明図である。
【図１３】本発明に利用可能な照明装置の設置状態の説明図である。
【図１４】本発明の管理制御装置と照明装置とに係る構成を示す図である。
【図１５】本発明における管理制御装置および照明装置に係る動作フローである。
【図１６】本発明の管理制御装置が記憶する照度情報の一例を示す図である。
【発明を実施するための形態】
【００１５】
以下、本発明の実施の形態を図に基づいて詳細に説明する。図１〜４は本発明を実施する照明装置の一例の外観を示すもので、図１はこの照明装置１の平面図、図２は側面図、図３は背面図、図４は内部構造を示す底面図、さらに図５は断面図、図６は内部構造を説明する底面図、図７、図８は分解斜視図であり、以下にその構成を具体的に説明する。
【実施例１】
【００１６】
照明装置１は、主体となる上面カバー２がアルミダイキャストなどの耐食性に優れた素材により一体成形されたもので、この上面カバー２の下面の開口部は透光カバー３がシールパッキン３Ａを介在させ、取付ボス２ｃにネジ孔３ａを介してネジ止めされる。また、上面カバー２の後側部は図１、図３、図６などに示すように傾斜状部２ａが形成され、この傾斜状部２ａの一方の傾斜端部２ａ−１に、傾斜状部２ａの開口形状に一致する蓋体４が蝶番４ａにより開閉可能に連結されている。この蓋体４の蝶番４ａを備えない他方の傾斜端部２ａ−１を取付ネジにより上面カバー２へ固定することにより、上面カバー２の後端面と蓋体４の前端面が図５に示すように連接するようにしている。
【００１７】
前記上面カバー２には図５に示すように固定金具Ｂの支管Ｂ１を挿通する通孔２ｂが形成され、空室内部に複数の取付ボス２ｃおよび後述する光源部５のヒートシンク２ｄなどが図７に示すように一体に成形されている。前記ヒートシンク２ｄには光源部５を配設した熱伝導板６が固定され、各発光素子５ａから発生する発熱をヒートシンク２ｄへ導くようにしている。ヒートシンク２ｄは前記発熱を吸収し、上面カバー２から装置外部へ放散する。前記光源部５および熱伝導板６はホルダー７によりヒートシンク２ｄに固定される。また、光源部５の後部には電源部８が配置され、この電源部８から商用交流電源を電圧変換した直流の駆動電源がリード線９により光源部５に供給される。
【００１８】
前記電源部８へ商用交流電源を導くリード線９は上面カバー２の傾斜状部２ａの空室内に配置した端子台１０に接続され、商用交流電源用のケーブルは支管Ｂ１内を通じて外部へ引き出される。また、前記傾斜状部２ａの空間内には、通孔２ｂから封止リング１１を介在させて差し込まれた支管Ｂ１の端部を固定するための固定金具１２が配設されている。
【００１９】
前記固定金具１２は図７に示すように、端部が取付ボス２ｃに第１の支持部材１２ａ、と端部が他の取付ボス２ｃにネジ止めされる第２の支持部材１２ｂとからなる。第１の支持部材１２ａの中央には支管Ｂ１の軸心方向に並行する曲部１２ａ−１が形成されており、一方、第２の支持部材１２ｂの中央には支管Ｂ１の軸心方向に並行する平坦段部１２ｂ−１が形成されており、この平坦段部１２ｂ−１には図５に示すように固定用の固定ネジ１２ｂ−２および位置決めネジ１２ｂ−３を備える。
【００２０】
つぎに、光源部５の構成について詳細に説明する。光源部５は複数のチップ状の発光素子５ａを絶縁基板５ｂ上に実装し、熱伝導板６上に固定された２枚一組の光源エレメント５ｃと、この光源エレメント５ｃ上でスライド可能とし、各発光素子５ａの発光光の出射方向をレンズ状の光制御部材５ｅで制御する光制御エレメント５ｄとの組み合わせを主体に構成される。
【００２１】
つぎに電源部８の構成について詳細に説明する。電源部８は、図９に示すように商用交流電源を降圧した直流に変換する整流回路８ａと、この整流回路８ａから出力される直流電源で発光素子５ａを点灯する光源点灯回路８と、照明装置１の本体外部の明暗を検出する第１の受光素子８ｇ−１と、光源部５の発光の状態を検出する第２の受光素子８ｇ−２と、透光カバー３から出射された照明光を検出する第３の受光素子８ｇ−３と、各受光素子８ｇ−１〜８ｇ−３からの各信号を入力し、この入力した信号の状態に基づいてリレースイッチ８ｐを駆動して発光素子５ａを点滅する点滅制御回路８ｄと、そしてこの点滅制御回路８ｄにおける判断に基づいてインジケータ８ｅ−１またはインジケータ８ｅ−２を点灯するインジケータ点灯回路８ｅを備える。
【００２２】
前記電源部８は、図７、図８に示すように中空の筺状ケース８ａと、この筺状ケース８ａの開口面を覆うスライド板８ｂとが一体構成されたもので、筺状ケース８ａの内部に上記回路要素を実装した配線基板８ｃ、および停電時などに対応するための蓄電池８ｆを収容している。前記スライド板８ｂの外周は筺状ケース８ａの外周から張り出したフランジ状となっており、このフランジ状部の四隅にダルマ孔８ｂ−１が形成されている。
【００２３】
前記筺状ケース８ａの側部には図１０に示すように配線基板８ｃに第１の受光素子８ｇ−１が実装されている。この第１の受光素子８ｇ−１に対向する筺状ケース８ａの側壁には通孔８ａ−１が形成されており、上面カバー２の両側部に形成した採光部２ｆから外部環境の外光を導入するようにしている。即ち、上面カバー２の前記通孔８ａ−１に対面する位置は凹陥した状態に形成されており、この採光部２ｆの奥部立壁に通孔２ｆ−１を形成している。そして、この通孔２ｆ−１と前記通孔８ａ−１を共軸として透明素材で形成された採光パッキン１３が嵌装されている。
【００２４】
以上のように構成された電源部８の側部の一方に第１の受光素子８ｇ−１を設けるように構成した場合、この第１の受光素子８ｇ−１を上面カバー２の採光部２ｆの任意の一方に対向させて配置することが可能となる。かかる機能は、照明装置１を設置した周囲の住宅や建築物などの照明施設からの照射光がノイズとなり第１の受光素子８ｇ−１で検知され、本来点灯すべき夜間において点灯しないという誤動作を生じる場合に対応することができる。
【００２５】
このような場合、上面カバー２の採光部２ｆの光ノイズの進入側への第１の受光素子８ｇ−１の配置を避け、光ノイズの影響を受けない採光部２ｆを選定して電源部８の配設が可能となるようにしている。即ち、電源部８が図６に示すように同図の上側の採光部２ｆから採光するようにした場合において、光ノイズの影響が確認されたとき、ダルマ孔８ｂ−１の小径部を固定している取付ネジ１４を緩め、スライド板８ｂスライドさせてダルマ孔８ｂ−１の大径部から取付ネジ１４の頭部を外すことにより、電源部８の全体を１８０°回転することができ、図６における下側の採光部２ｆから採光できるように配設方向を図１１、図１２に示すように変更することができる。
【００２６】
上記のような照明装置１は、街路灯等として屋外の道路や公園等といった一定の地理的範囲に多数個配置されることとなるので、その範囲の各照明装置１の照明状態について管理センタにて一括して管理することが望ましい。その場合、管理制御装置としてのサーバＳＶにて複数の照明装置１が管理されることになるが、このようなサーバＳＶにおける管理制御のための処理および方法について、以下、図１４乃至図１６に基づいて説明する。
【００２７】
図１４は本発明の照明装置と管理制御装置図に係る構成を示す図であり、図１５は照明装置および管理制御装置に係る動作フローである。図１４に示すように、サーバＳＶに対して所定地域の各照明装置１の電源部８がデータ通信可能に接続されている。
【００２８】
サーバＳＶは、通常コンピュータが備える各種手段を備えるものでよい。具体的には、情報処理部Ｊとデータ送受信部ＭＳ１を備え、情報処理部Ｊは、データを処理するための処理装置、データを記憶するための記憶装置を備え、記憶装置には後述する所定のデータの他、本発明における処理において必要なプログラムが記憶されている。サーバＳＶは、サーバＳＶが管理する複数の照明装置１と通信回線を介してデータの送受信可能に接続される。
【００２９】
その他、サーバＳＶは、キーボードやマウスをはじめとする各種入力手段やモニタ等の表示手段を適宜接続してもよい。また、通信回線としては、インターネット、電話回線、光回線等をはじめとする有線回線もしくは各種の無線回線等、またはこれらの組み合わせであってよく、従来既知の技術を適宜利用すればよい。
【００３０】
各照明装置１の電源部８は、第１の受光素子８ｇ−１の検出値を取得する周囲環境照度測定手段ＡＳと、発光制御部ＨＣと、データ送受信部ＭＳ２を備える。発光制御部ＨＣは、光源点灯回路８ｂと点滅制御部８ｄとインジケータ点灯回路８ｅを含む。電源部８も、発光制御部ＨＣに、マイクロコンピュータＭＣ２による動作と、必要な基準データと測定データを記憶するメモリＭＯ２を備えている。
【００３１】
＜ステップ１：通信正常確認処理＞
サーバＳＶと各照明装置１との通信は、図１５に示すように、サーバＳＶから各照明装置１のデータ送受信部ＭＳ２へ所定のタイミングにて順次ポーリングする方式である。サーバＳＶからの制御信号によって、照明装置１の無線送受信部ＭＳ２へ所定のタイミングにて順次ポーリングし、サーバＳＶと照明装置１との間の通信確認を行う。この通信確認によって、照明装置１との間に通信エラーが生じた場合は、そのエラーが生じた照明装置１に対応する故障報知をブザーやＬＥＤ発光等によって行う。この故障報知は、サーバＳＶ側のモニタ上に文字やＬＥＤの赤色発光等によって表示する。
【００３２】
＜ステップ２：周囲照度確認処理＞
ステップ１により通信確認が正常であった場合、周囲照度確認処理を行う。この周囲照度確認処理は、サーバＳＶから照明装置１の周囲環境照度測定手段ＡＳへ測定指示を行うものである。具体的には、サーバＳＶは照明装置１に対し、周囲照度確認要求データを送信し、それを受信した照明装置１は、周囲環境照度測定手段ＡＳにより第１の受光素子８ｇ−１が検出した検出値を含む照度情報を作成し、該照度情報をサーバＳＶに送信する。これと同時に、照明装置１は、発光制御部ＨＣから光源部５が点灯か消灯かを示す光源状態情報をサーバＳＶに送信する。これらを受信したサーバＳＶは、記憶装置に記憶する。
【００３３】
＜ステップ３：比較照度値算出処理＞
ここでは、具体的な例として、サーバＳＶが６台の照明装置１ａ乃至１ｆを管理しているものとし、上記周囲照度確認処理により、図１６に示すとおりの照度情報がサーバＳＶに記憶されたものとする。すなわち、周囲照度確認処理の結果が、「照明装置１ａ：２ｌｘ，照明装置１ｂ：２０ｌｘ，照明装置１ｃ：３１ｌｘ，照明装置１ｄ：４２ｌｘ，照明装置１ｅ：５６ｌｘ，照明装置１ｆ：１０１８ｌｘ」であるとする。
【００３４】
サーバＳＶは、このように照明装置１ａ乃至１ｆから収集された照度情報の平均値を算出し、この算出された平均値を比較照度値として記憶する。
【００３５】
なお、このように複数の照明装置から収集された照度情報の平均値をそのまま比較照度値としてもよいが、実際には、比較照度値が正常な値となるように、種々の演算を施すようにするのがよい。照明装置１ａ乃至１ｆから収集される照度情報は、付近の家屋等から漏れる光や偶然に生ずる反射光等といったノイズの影響を受けた不正確なものである場合があるからである。
【００３６】
例えば、図１６に示す数値においては、照明装置１ａから送信された照度情報は「２ ｌｘ」であり他の値と比較して低く、また、一方で照明装置１ｆから送信された照度情報は「１０１８ｌｘ」と大きい。このような値は、何らかの影響を受けた不正確なデータである可能性が高いので、これを排除するのが望ましい。
【００３７】
このようなノイズを含んだデータの影響を受けないように、より適正な比較照度値を得るために、具体的な処理として、サーバＳＶが管理する照明装置の台数にもよるが、例えば、複数台の照明装置から収集された照度情報のうち、最大および最小の値を除いて残りの値の平均値を比較照度値とする。例えば、図１６に示す照度情報においては、最小が照明装置１ａから受信した「２ｌｘ」であり、最大が照明装置１ｆからの「１０１８ｌｘ」である。この場合、この「２ｌｘ」および「１０１８ｌｘ」の２つデータを除いて、残りの照明装置１ｂ乃至１ｅからの照度情報をもとに平均値を算出し（ここでは、３７．３ｌｘとなる）、これを比較照度値とすればよい。
【００３８】
また、サーバＳＶが管理すべき照明装置の台数が、かなりの多数におよぶ場合には、ノイズを含んだ照度情報が増えることが考えられる。こういった場合には、最大および最小の照度情報だけでなく、例えば最大から３つ、および最小から３つのデータをそれぞれ除くというように、最大値およびこれに近い複数の値および最小値およびこれに近い複数の値を除き、残った照度情報から平均値を算出して比較照度値としてもよい。
【００３９】
別の方法として、あらかじめ所定の最大基準値および最低基準値をサーバＳＶに記憶させておき、その最大基準値より大きい（もしくはこれ以上の）照度情報および最低基準値より小さい（もしくはこれ以下の）照度情報を除き、残された照度情報から平均値を算出して、これを比較照度値としてもよい。
【００４０】
＜ステップ５：点消灯判定処理＞
このように算出された比較照度値と、あらかじめサーバＳＶが記憶している基準データと比較処理をする。この比較処理より、比較照度値が基準データより大きい（もしくはこれ以上の）場合は、つまり周囲が明るい場合であるので、サーバＳＶは照明装置１の光源部５を点灯する必要がないと判定する。
【００４１】
一方、比較処理より、比較照度値が基準データより小さい（もしくはこれ以下の）場合は、つまり周囲が暗い場合であるので、サーバＳＶは照明装置１の光源部５を点灯する必要があると判定する。
【００４２】
＜ステップ６：点灯（消灯）指示データ送信処理＞
上記点消灯要否判定処理により、消灯する必要があると判断された場合、サーバＳＶは管理する照明装置１の光源部５を消灯させるための消灯指示データを作成し、各照明装置１に送信する。
【００４３】
一方、上記点消灯要否判定処理により、点灯する必要があると判断された場合、サーバＳＶは管理する照明装置１の光源部５を点灯させるための点灯指示データを作成し、各照明装置１に送信する。
【００４４】
消灯指示データを受信した照明装置１は、発光制御部ＨＣが光源部５の点灯消灯状態を確認し、点灯状態であれば発光制御部ＨＣは光源点灯回路８ｂによって、光源部５を消灯状態とする。発行制御部ＨＣが光源部５を確認した結果すでに消灯状態であれば当該消灯指示データはそのまま破棄される。
【００４５】
一方、点灯指示データを受信した照明装置１は、発光制御部ＨＣが光源部５の点灯消灯状態を確認し、消灯状態であれば発光制御部ＨＣは光源点灯回路８ｂによって、光源部５を点灯状態とする。発行制御部ＨＣが光源部５を確認した結果、すでに点灯状態であれば当該点灯指示データはそのまま破棄される。
【００４６】
以上のステップ１乃至７が所定の時間間隔において、サーバＳＶが管理する複数の照明装置１に対して繰り返し行われる。
【００４７】
このように、本実施例に係る発明においては、ある地域的な範囲に設置された複数の照明装置１からそれぞれ照度情報を取得し、複数の照度情報から適切に算出された比較照度値を用いて照明装置１の点灯又は消灯の要否を決定するので、周囲が明るいにも関わらず点灯するなどといった異常な動作を行う照明装置を無くすことができる。
【００４８】
また、本実施例に係る発明において利用する照明装置１は、周囲照度測定を行うための周囲環境照度測定手段ＡＳ（第１の受光素子８ｇ−１）を一体として備えているので、照明装置とは別に周囲照度測定のための装置を設置する場合と比較して、余計な装置もしくは各種手段が削減できるため、コストを低減することができる。また、照明装置１が設置されている、まさにその場所の照度情報を利用するので、照明装置設置環境についてより正確な点灯もしくは消灯の管理が可能となる。
【実施例２】
【００４９】
上記したとおり、「点消灯判定処理」の結果作成される「点灯（消灯）指示データ」が、サーバＳＶからそのサーバＳＶが管理する複数の照明装置１に一斉に送信されるが、その指示データに基づいて照明装置１の光源部５が点灯（もしくは消灯）するまでには、タイムラグが生じることがある。このタイムラグの原因は、サーバＳＶが照明装置１台につき１の指示データを順次送信していくため、サーバＳＶから当該指示データが実際に送信されるまでの待ち時間に起因する場合が多い。このタイムラグは、サーバＳＶが管理する照明装置１の台数が多くなるほど顕著となる。このように、一定の地理的範囲における複数の照明装置が、それぞれバラバラに点灯（消灯）してしまうのは、景観上ふさわしくない。
【００５０】
これを防ぐため、サーバＳＶから各照明装置１に送信する点灯（消灯）指示データは、所定の時刻データを含む。また、照明装置１は、時刻をカウントし時刻情報を取得するための時刻カウント手段を設ける。サーバＳＶが作成する点灯（消灯）指示データに含まれる時刻データは、サーバＳＶが当該点灯（消灯）指示データに付加するようにすればよい。
【００５１】
サーバＳＶが点灯（消灯）指示データを作成する時点の時刻を、サーバＳＶ自身が備える時刻取得手段から取得する。サーバＳＶは、取得した当該時刻に所定の時間間隔分（例えば、１分間）を付加した時刻を時刻データとして作成する。具体的には、サーバＳＶが、点灯（消灯）指示データを作成する時点の時刻が、「１９時１１分０２秒」であったとする。サーバＳＶは、取得したこの時刻「１９時１１分０２秒」に、所定の時間分（ここでは１分間）を加算し、「１９時１２分０２秒」を示すデータを時刻データとして作成し、点灯（消灯）指示データに付加して、各照明装置１に送信する。
【００５２】
照明装置１、この時刻データが付加された点灯（消灯）指示データを受信した場合、照明装置１の発行制御部ＨＣは、時刻カウント手段から時刻情報を常時取得し、サーバＳＶから受信した時刻データと時刻カウント手段からの時刻情報とが一致するか否か判定する。
【００５３】
当該時刻データと時刻情報とが一致することをトリガとして、発光制御部ＨＣが点灯（消灯）指示データに従って、光源点灯回路８ｂによって、光源部５を点灯もしくは消灯状態とする。
【００５４】
このようにすることで、サーバＳＶが管理する照明装置の台数が非常に多くなった場合であっても、周囲が所定の照度以下に暗くなり、照明が必要だと判断されたときから遅れることなく、かつ、多数の照明装置が点灯する際のタイムラグを抑え、ほぼ同時に点灯させることができる。
【００５５】
本発明の実施の形態は、以上の説明の例に限定されない。以上の説明においては、点消灯判定処理において、サーバＳＶは、毎回点灯（消灯）指示データを送信し、そのデータが不要な場合は、照明装置１側で破棄することとしている。この点、サーバＳＶは、光源状態情報から判断して、点灯（消灯）指示データを送信する必要があるか否かを判定し必要がない場合、すなわち、光源状態情報が「点灯」を示す場合において、点灯指示データが作成された場合には、当該点灯指示データは送信しても破棄されるだけであるので、送信しないという処理にしてもよい。これにより、通信回線上の不要なデータを削減でき、遅延等の解消に役立つ。
【００５６】
また、より安定した照明装置１の動作を得るために、以下のような処理をしてもよい。
「点消灯判定処理」と「点灯（消灯）指示データ送信処理」については、比較照度値と基準データとの比較を複数回行った結果をもとに判定し、点灯（消灯）指示データを作成もしくは送信するようにしてもよい。比較照度値と基準データとの比較した結果が、複数回であって所定の回数連続して同じ結果となった場合にのみ、点灯（消灯）指示データが照明装置１に送信されるようにする。
【００５７】
具体的には、比較照度値が基準データとの比較の結果、比較照度値が基準データを下回った場合は点灯指示データの送信が必要となるが、１回の比較のみに基づくようにせず、比較照度値が基準データを任意の回数（例えば１０回）連続で下回った場合にのみ、点灯（消灯）指示データ送信処理を行うようにする。
【００５８】
特に、比較照度値が基準データ付近の場合に、誤差等によって、照明装置１の光源部５が点灯・消灯を繰り返す事態が想定されるが、これを解消することができる。
【００５９】
比較照度値は、上述の説明のほか、サーバＳＶに収集された複数の照度情報の幾何平均による値であってもよい。また、比較照度値は、サーバＳＶに収集された複数の照度情報の中央値としてもよい。
【００６０】
上述のステップ１から７の一連の処理は、繰り返し行われるが、その一連の処理ごとの時間間隔は、一定でなくてよい。例えば、比較照度値が、基準値と一定数以上の差がある場合は、時間間隔を長くするようにしてもよい。
【００６１】
このような、比較照度値が、基準値と一定数以上の差がある場合とは、日中や深夜など、極めて明るいかもしくは極めて暗い時間帯の場合となるが、このような場合にも、所定の短い時間間隔で処理のステップを繰り返すのは、無駄が多い。
【００６２】
そこで、このような日中や深夜などといった比較照度値が基準値と一定以上差が出ている場合は、一連の処理と処理との時間間隔を長くするようする。これにより、サーバＳＶと照明装置１とのデータのやり取りの頻度を抑えられることとなるので、サーバＳＶ、照明装置１および間の中継機器等の負荷を軽減でき、またトラフィックの緩和が図られる。
【００６３】
また、比較照度値と比較される基準値として、第２、第３の基準値を持って、調光のための判定に使用してもよい。具体的には、完全消灯の基準となる基準値より低い第２基準値を持ち、比較照度値がこの第２基準値より大きい（もしくは以上の）値となった場合に、照明装置１に光源部５を減光する指示を送るようにする。
【００６４】
これにより、周囲が徐々に明るくなってきた場合に、照明装置１の光量を落とすなど、照明装置１の光量を周囲の明るさにあわせたものとすることができるので、細やかな調光が図られる。
【００６５】
なお、各照明装置１からサーバＳＶに収集される照度情報は、上述のような照度を具体的に数値化したデータでなくともよい。具体的には、照明装置１の発行制御部ＨＣにおいて、閾値判定手段を備える。この閾値判定手段は、所定の時間間隔毎に、周囲環境照度測定手段ＡＣから取得される照度情報と、同じく発行制御部ＨＣに記憶される閾値とも比較し、閾値判定情報を作成するものである。
【００６６】
閾値判定手段が、周囲環境照度測定手段ＡＣから取得した照度情報と、所定の閾値とを比較した結果、照度情報が所定閾値より大きい（もしくは、以上の）場合には、第２照度情報を作成し、逆に、比較結果として、照度情報が所定閾値より小さい（もしくは、以下の）場合には、第３照度情報を作成する。作成された第２もしくは第３照度情報は、サーバＳＶに送信される。
【００６７】
サーバＳＶは、各照明装置１から送信された第２もしくは第３照度情報を受信し記憶する。サーバＳＶは、受信した第２照度情報の数（個数）をカウントする。カウントして算出された第２照度情報の数が所定の基準値より多い（もしくは、以上の）場合は、上記点消灯判定処理において、照明装置１（光源部５）を点灯させる必要はない、と判定する。一方、第２照度情報の数が所定の基準値より少ない（もしくは、以下の）場合は、上記点消灯判定処理において、照明装置１（光源部５）を点灯させる必要がある、と判定する。
【００６８】
この場合においては、第２照度情報をカウントし得られた第２照度情報の個数が比較照度値として扱い、また、これと比較される基準データは、あらかじめ記憶された所定の個数（例えば、サーバＳＶが管理する照明装置１の半数の数など）とすればよい。
【００６９】
また、ここでの説明では、サーバＳＶにおいて、第２照度情報をカウントしているが、第３照度情報をカウントしてもよい。この場合、上記点消灯判定処理において、第３照度情報の数が所定の基準値より多い（もしくは、以上の）場合は、上記点消灯判定処理において、照明装置１（光源部５）を点灯させる必要がある、と判定し、第３照度情報の数が所定の基準値より少ない（もしくは、以下の）場合は、上記点消灯判定処理において、照明装置１（光源部５）を点灯させる必要がない、と判定すればよい。
【符号の説明】
【００７０】
１  照明装置
５  光源部
ＨＣ  発光制御部
８ｇ−１  第１の受光部
ＡＳ  周囲環境照度測定手段
ＳＶ  サーバ
Ｊ  情報処理部
【図１】
0006677971.tif 000002
【図２】
0006677971.tif 000003
【図３】
0006677971.tif 000004
【図４】
0006677971.tif 000005
【図５】
0006677971.tif 000006
【図６】
0006677971.tif 000007
【図７】
0006677971.tif 000008
【図８】
0006677971.tif 000009
【図９】
0006677971.tif 000010
【図１０】
0006677971.tif 000011
【図１１】
0006677971.tif 000012
【図１２】
0006677971.tif 000013
【図１３】
0006677971.tif 000014
【図１４】
0006677971.tif 000015
【図１５】
0006677971.tif 000016
【図１６】
0006677971.tif 000017